(57)【要約】【課題】  動画撮影中に静止画を撮影する場合の手順を簡素化し、シャッタチャンスを逃さないようにする。【解決手段】  互いにアスペクト比が異なる静止画および動画の撮影が可能とされ、静止画撮影と動画撮影とで共用されるファインダ装置を有するカメラにおいて、ファインダ装置の撮影画面は、静止画のアスペクト比に対応する静止画用画面と、動画のアスペクト比に対応する動画用画面とに切換表示可能とされる。動画用画面での動画撮影中に静止画撮影の準備開始操作がなされると、動画用画面から静止画用画面に切換わる。【選択図】        図５
2006033263.tif 000002
【特許請求の範囲】
【請求項１】
互いにアスペクト比が異なる静止画および動画の撮影が可能とされ、静止画撮影と動画撮影とで共用されるファインダ装置を有するカメラにおいて、
前記ファインダ装置の撮影画面は、静止画のアスペクト比に対応する静止画用画面と、動画のアスペクト比に対応する動画用画面とに切換表示可能とされ、前記動画用画面での動画撮影中に静止画撮影の準備開始操作がなされると、前記動画用画面から前記静止画用画面に切換えることを特徴とするカメラ。
【請求項２】
前記ファインダ装置の撮影画面は、静止画と動画とで共用の領域と、静止画および動画それぞれ専用の領域とから成り、前記共用領域と前記静止画専用の領域とで前記静止画用画面が構成され、前記共用領域と前記動画専用の領域とで動画用画面が構成されることを特徴とする請求項１に記載のカメラ。
【請求項３】
前記動画専用の領域をマスクすることで前記静止画用画面を表示し、前記静止画専用の領域をマスクすることで前記動画用画面を表示することを特徴とする請求項２に記載のカメラ。
【請求項４】
前記静止画撮影および動画撮影に関わる操作がいずれもなされないときには、前記静止画用画面および動画用画面の双方を表示することを特徴とする請求項１〜３のいずれかに記載のカメラ。
【発明の詳細な説明】
【技術分野】
【０００１】
本発明は、静止画撮影と動画撮影の双方の機能を備えたカメラに関する。
【背景技術】
【０００２】
静止画撮影と動画撮影とが可能なカメラとして、動画撮影機能を有するデジタルスチルカメラや、静止画撮影機能を有するビデオカメラがある。これらのカメラでは、静止画のアスペクト比と動画のアスペクト比とが異なる場合、静止画か動画かでファインダ画面のアスペクト比を変える必要がある。ファインダ画面のアスペクト比を切換える方法としては、液晶で画面を部分的にマスクする方法がある（例えば、特許文献１参照）。
【０００３】
【特許文献１】特開２００１−５０５３号公報
【発明の開示】
【発明が解決しようとする課題】
【０００４】
動画撮影中に静止画撮影を行う必要が生じた場合、従来はモード切換ボタン等の操作により静止画モードに切換え、ファインダにて構図の決定を行い、しかる後に静止画撮影のための操作を行うといった手順を踏まねばならい。このため速写性に劣り、シャッタチャンスを逃すおそれもある。
【課題を解決するための手段】
【０００５】
本発明は、互いにアスペクト比が異なる静止画および動画の撮影が可能とされ、静止画撮影と動画撮影とで共用されるファインダ装置を有するカメラに適用される。ファインダ装置の撮影画面は、静止画のアスペクト比に対応する静止画用画面と、動画のアスペクト比に対応する動画用画面とに切換表示可能とされ、動画用画面での動画撮影中に静止画撮影の準備開始操作がなされると、動画用画面から静止画用画面に切換える。
特に請求項２の発明では、ファインダ装置の撮影画面は、静止画と動画とで共用の領域と、静止画および動画それぞれ専用の領域とから成り、共用領域と静止画専用の領域とで静止画用画面が構成され、共用領域と動画専用の領域とで動画用画面が構成される。
請求項３の発明では、動画専用の領域をマスクすることで静止画用画面を表示し、静止画専用の領域をマスクすることで動画用画面を表示する。
請求項４の発明では、静止画撮影および動画撮影に関わる操作がいずれもなされないときには、静止画用画面および動画用画面の双方を表示する。
【発明の効果】
【０００６】
本発明によれば、動画用画面での動画撮影中に静止画撮影の準備開始操作を行うことで自動的に動画用画面から静止画用画面に切換えるようにしたので、静止画用モードの設定操作などを行う必要がなく、迅速に構図を決定して静止画撮影を行える。
【発明を実施するための最良の形態】
【０００７】
図１〜図５により本発明の一実施の形態を説明する。
図１は本実施形態における電子カメラの概略ブロック図である。撮影レンズ１を透過した被写体光束は、ＣＣＤ等の撮像素子２に受光され、その光電変換出力が画像信号として画像変換／処理部３に入力される。画像変換／処理部３は、アナログ信号処理部，Ａ／Ｄ変換部，デジタル信号処理部などを含み、ここで処理されたデータが記録部４によりメモリカード等の記録媒体５に記録される。記録されるデータは、静止画データと動画データとがあり、そのいずれかによって上記信号処理方法は異なる。
【０００８】
画像変換／処理部３や記録部４などはＣＰＵ１０により制御される。ＣＰＵ１０には、静止画撮影用のレリーズボタンの半押し操作でオンする半押しスイッチＳＷ１と、レリーズボタンの全押し操作でオンするレリーズスイッチＳＷ２と、動画撮影（録画）ボタンの操作でオンする動画撮影スイッチＳＷ３とが接続される。なお、カメラには測光／測距部や撮影動作部材の駆動部などが設けられるが、それらの図示は省略する。
【０００９】
ここで、記録されるデータのアスペクト比は静止画と動画とで異なり、動画の方が静止画よりも横長となる。これは、静止画は従来の銀塩フィルムと同等あるいはそれに近いアスペクト比で観賞できるように、また動画は横長画面のいわゆるワイドテレビに対応させるためである（例えば、横：縦が静止画は３：２で動画は１６：９）。一方、カメラのファインダは静止画と動画とで共用のため、状況に応じてファインダ画面のアスペクト比を静止画用と動画用とで切換える必要がある。
【００１０】
画面のアスペクト比の切換方法について説明する。
図２は上記カメラのファインダ表示を示している。ファインダにおいては、撮影画面（被写体像を確認する領域）２０と、その下方に設けた情報表示領域３０とが不図示の接眼レンズを介して観察できる。それらの周囲部分（ハッチング部分）はブラックアウト状態となる。情報表示領域３０には、撮影時の露出値や露出補正量など種々の情報が表示される。
【００１１】
撮影画面２０は、矩形の中央領域２０Ｃと、その上下左右に位置する４領域２０Ｕ，２０Ｄ，２０Ｌ，２０Ｒとから成り、全体としては非矩形形状をなす。中央領域２０Ｃは静止画と動画とで共用の領域であり、上下領域２０Ｕ，２０Ｄは静止画専用の領域、左右領域２０Ｌ，２０Ｒは動画専用の領域である。
【００１２】
上下左右領域２０Ｕ，２０Ｄ，２０Ｌ，２０Ｒは、図１のファインダ内液晶装置１１によってマスクが可能となっている。ファインダ内液晶装置１１は、例えば特許文献１に記載のファインダＬＣＤと同種のもので、ＣＰＵ１０の指示により液晶ドライバ１２を介して駆動される。本実施形態ものは、領域２０Ｕ，２０Ｄ，２０Ｌ，２０Ｒにそれぞれ対応して配置される液晶セグメント１１Ｕ，１１Ｄ，１１Ｌ，１１Ｒを有し、各セグメントは、電圧の印加／解除により半透過状態と全透過状態とに切換可能とされる。全透過状態のときには、そのセグメントに対応する領域を通る光束のほぼ全てが観察の対象となり、通常の像の見え方となる。一方、半透過状態のときには、対応する領域を通る光束の何割かが遮られるため、その領域の被写体像は網が掛かったような状態で観察される。この網掛け表示は、その領域が撮影対象範囲外であることを示しているが、完全に遮光されているわけではないので、像の確認は可能である。なお、中央領域２０Ｃは常に全透過表示となる。
【００１３】
図３は上下の液晶セグメント１１Ｕ，１１Ｄを全透過状態とし、左右のセグメント１１Ｌ，１１Ｒを半透過状態とした静止画用画面を示している。この場合は、中央領域２０Ｃと上下領域２０Ｕ，２０Ｄとが全透過表示され、左右領域２０Ｌ，２０Ｒは網掛け表示となる。したがって撮影者は、領域２０Ｃ，２０Ｕ，２０Ｄで構成される静止画アスペクト比の矩形領域が静止画撮影範囲であることを認識できる。
【００１４】
図４は上下のセグメント１１Ｕ，１１Ｄを半透過状態とし、左右のセグメント１１Ｌ，１１Ｒを全透過状態とした動画用画面を示している。この場合は、中央領域２０Ｃと左右領域２０Ｌ，２０Ｒとが全透過表示され、上下領域２０Ｕ，２０Ｄは網掛け表示となる。したがって撮影者は、領域２０Ｃ，２０Ｌ，２０Ｒで構成される動画アスペクト比の矩形領域が動画撮影範囲であることを認識できる。
【００１５】
また図示はしていないが、上下左右のセグメント１１Ｕ，１１Ｄ，１１Ｌ，１１Ｒを全て全透過状態とすると、５領域２０Ｃ，２０Ｕ，２０Ｄ，２０Ｌ，２０Ｒの全てが全透過表示される。これは、撮影者が静止画撮影か動画撮影かをカメラに指示していない状態（以下、未定画面）を示す。
【００１６】
次に、上記ファインダ画面の切換タイミングについて図５を参照して説明する。
図５はＣＰＵ１０によって実行される制御の手順を示し、カメラへの電源投入に伴ってこのプログラムが起動される。まずステップＳ１で液晶セグメント１１Ｕ，１１Ｄ，１１Ｌ，１１Ｒの全てを全透過状態とし、上述した未定画面を設定する。この未定画面表示は、ステップＳ２で動画撮影スイッチＳＷ３のオンが判定されるか、あるいはステップＳ１１で半押しスイッチＳＷ１のオンが判定されるまで継続する。
【００１７】
このとき動画撮影スイッチＳＷ３がオンされると、ステップＳ３で半押しスイッチＳＷ１のオン・オフを判定する。半押しスイッチＳＷ１がオフであれば、ステップＳ４で上下セグメント１１Ｕ，１１Ｄを半透過状態、左右セグメント１１Ｌ，１１Ｒを全透過状態とし、図４に示すような動画用画面を設定する。そして、ステップＳ５で動画撮影を行ってステップＳ２に戻る。すなわち、未定画面で動画撮影を開始するのに伴って自動的に動画用画面に切換わり、レリーズボタンの半押し操作がなされなければ、動画撮影操作（ＳＷ３のオン）が継続する限り動画用画面表示が継続する。動画撮影操作が解除されると未定画面表示に戻る。
【００１８】
一方、ステップＳ３で半押しスイッチＳＷ１がオンと判定された場合は、ステップＳ６に進み、上下セグメント１１Ｕ，１１Ｄを全透過状態、左右セグメント１１Ｌ，１１Ｒを半透過状態とし、図３のような静止画用画面を設定する。ステップＳ７では動画撮影を行い、ステップＳ８では、静止画撮影のための準備動作（例えば、測距，測光，ＡＦ，露出値演算など）を行う。その後、ステップＳ９でレリーズスイッチＳＷ２のオン・オフを判定し、オフであればステップＳ２に戻り、オンであればステップＳ１０で静止画撮影処理を行ってステップＳ２に戻る。
【００１９】
このように、たとえ動画撮影中であってもレリーズボタンの半押し操作（静止画撮影の準備開始操作）がなされると、静止画撮影の意志有りとの判断の下に即座に静止画用画面に切換わる。したがって、動画撮影中に静止画撮影のシャッタチャンスが訪れた場合、撮影者はモード切換ボタンなどを操作することなく、半押し操作するだけで素早く静止画用画面による構図決定を行え、次いでレリーズ操作により迅速に静止画撮影を行うことができる。これによりシャッタチャンスをものにできる可能性を高めることが可能となる。
【００２０】
なお、動画撮影スイッチＳＷ３がオフのときに半押しスイッチＳＷ１がオンされると、ステップＳ１１が肯定され、この場合はステップＳ６と同様に静止画用画面を設定し、ステップＳ８に進む。
【００２１】
以上では、撮影対象外領域を網掛け表示するようにしたが、完全に遮光してもよい。また図３，図４では、中央領域２０Ｃと他の４領域とを仕切る境界線が表示されているが、これらの境界線はなくてもよい。さらに、図６に示すような３領域５０Ｃ，５０Ｕ，５０Ｄから成る矩形の画面構成とし、上下領域５０Ｕ，５０Ｄをマスク／アンマスクすることで画面（アスペクト比）を切換えてもよい。この場合は、領域５０Ｃ，５０Ｕ，５０Ｄで静止画用画面が構成され、領域５０Ｃのみで動画用画面が構成されることになる。また、マスク以外の方法で画面切換を行うようにしてもよい。例えば、静止画撮影範囲の輪郭を動画撮影範囲の輪郭よりも明るく表示することで静止画用画面とし、動画撮影範囲の輪郭を静止画撮影範囲の輪郭よりも明るく表示することで動画用画面としてもよい。あるいは、輪郭の色を変えることでいずれの画面かを明示するようにしてもよい。
【００２２】
また、静止画／動画のアスペクト比は１種類ずつとは限らず、複数の静止画用アスペクト比（例えば、３：２と４：３）を持つカメラも考えられる。この場合、いずれかのアスペクト比を撮影者が選択することになるが、動画撮影中に静止画撮影の準備開始操作がなされると、上記選択されたアスペクト比の静止画用画面が表示されるようにするのが望ましい。
【図面の簡単な説明】
【００２３】
【図１】本発明の一実施形態におけるカメラの制御系のブロック図。
【図２】上記カメラのファインダ表示の一例を示す図。
【図３】ファインダにおける静止画用画面の一例を示す図。
【図４】ファインダにおける動画用画面の一例を示す図。
【図５】画面切換えを含むカメラ動作を示すフローチャート。
【図６】ファインダ画面の他の例を示す図。
【符号の説明】
【００２４】
２  撮像素子
１０  ＣＰＵ
１１  ファインダ内液晶装置
１１Ｕ，１１Ｄ，１１Ｌ，１１Ｒ  液晶セグメント
１２  液晶ドライバ
２０  ファインダ内撮影画面
２０Ｃ  中央領域（共用領域）
２０Ｕ，２０Ｄ，２０Ｌ，２０Ｒ  上下左右領域（専用領域）
ＳＷ１  半押しスイッチ
ＳＷ２  レリーズスイッチ
ＳＷ３  動画撮影スイッチ
【図１】
2006033263.tif 000003
【図２】
2006033263.tif 000004
【図３】
2006033263.tif 000005
【図４】
2006033263.tif 000006
【図５】
2006033263.tif 000007
【図６】
2006033263.tif 000008